(57)【要約】【課題】回路遮断器のケースカバーにネジ穴を追加加工することなく、標準品の回路遮断器に装着できるように取付構造を改良したハンドルロック装置を提供する【解決手段】回路遮断器１のケースカバー２から外方に突き出たロッカー式の開閉操作用ハンドル３をＯＦＦ位置に鎖錠するプレート式のハンドルロック装置であって、前記ハンドル３の側方に敷設するロックプレート１０の両端に取付台座１１を連結した上で、該取付台座１１を回路遮断器１の取付ネジ７で共締めするようにし、ここでロックプレート１０は南京錠を掛ける施錠穴８ｃを開口した固定プレート８と、該固定プレート８に添わせてハンドルに掛止連繋させる可動プレート９とからなり、前記固定プレート８の端部に取付台座１１の第１のネジ座部１１ａを重ねてネジ止めし、第２のネジ座部１１ｂに取付ネジ７を通して回路遮断器1と共締めする。【選択図】        図１
2010040325.tif 000002
【特許請求の範囲】
【請求項１】
回路遮断器のケースカバーに開口した穴を通して摘み部が外方に突き出たロッカー式の開閉操作用ハンドルをＯＦＦ位置に鎖錠するハンドルロック装置であり、前記ケースカバーには前記ハンドルの側方に沿って起立延在するロックプレートを敷設し、該ロックプレートに南京錠を掛けてハンドルをＯＦＦ位置に鎖錠するようにしたものにおいて、
前記ロックプレートの両端に一対の取付台座を連結した上で、該取付台座を前記カバーに遮断器の取付ネジで共締めしたことを特徴とする回路遮断器のハンドルロック装置。
【請求項２】
請求項１に記載ハンドルロック装置において、ロックプレートは、断面Ｌ形の固定プレートと、該固定プレートの板面に添わせて長手方向へ移動可能に案内支持したスライド式の可動プレートとの組立体になり、
前記固定プレートにはその底板部の中央に開口して回路遮断器のハンドルの摘み部周域を包囲する穴、および両端部に穿孔したネジ穴を設けるとともに、起立板部には長手方向の中央に南京錠を掛ける施錠穴を開口し、
また、前記可動プレートには前記ハンドルの摘み部に掛止連繋する係合突起を設け、
ハンドルのＯＮ操作位置では前記固定プレートに開口した施錠穴を可動プレートで塞ぐようにしたことを特徴とする回路遮断器のハンドルロック装置。
【請求項３】
請求項１に記載のハンドルロック装置において、取付台座が、ロックプレートの端部に重ね合わせてネジ締結する第１のネジ座部と、回路遮断器の取付ネジを通す第２のネジ座部を有する樹脂成形品になり、第１のネジ座部にはその裏面側から締結ネジを通してロックプレートの固定プレートをネジ止めするようにしたことを特徴とする回路遮断器のハンドルロック装置。
【請求項４】
請求項３に記載のハンドルロック装置において、取付台座の第１のネジ座部には、回路遮断器のフレームサイズに合わせて選択する複数の締結ネジ通し穴を設けたことを特徴とする回路遮断器のハンドルロック装置。
【発明の詳細な説明】
【技術分野】
【０００１】
この発明は、配線用遮断器，漏電遮断器などを対象に、その外部付属装置として適用する回路遮断器のハンドルロック装置に関する。
【背景技術】
【０００２】
周知のように、頭記の配線用遮断器，漏電遮断器は手動操作で主回路接点を開閉するロッカー式の開閉操作用ハンドルを装備している。こられの回路車を配電盤，操作盤などに装備して使用する場合には、保守員，部外者による不用意なハンドルの誤操作を防止するために、ハンドルに南京錠（pad-lock）を掛けて回路遮断器をＯＮ，あるいはＯＦＦ位置に鎖錠するようにしたハンドルロック装置が外部付属装置（オプション品）として用意されている。
【０００３】
このハンドルロック装置には各種タイプのものがあり、その一例としてハンドルの側方に沿って起立するロックプレートを回路遮断器のケースカバーに取付け、このロックプレートの板面に穿孔した施錠穴に南京錠を掛けてハンドルをＯＮ位置（主回路接点が閉），あるいはＯＦＦ位置（主回路接点が開）に拘束保持するようにしたロックプレート式のハンドルロック装置が知られている（例えば、特許文献１参照）。
【０００４】
次に、ハンドルロック装置の従来例として、前記特許文献１に開示されているハンドルロック装置を図６（ａ）〜（ｃ）に示す。なお、図示例のハンドルロック装置はＯＮおよびＯＦＦの各位置でハンドルを鎖錠するタイプである。図において、１は回路遮断器、２はケース２ａとケースカバー２ｂを組み合わせた回路遮断器１のモールドケース、３はケースカバー２ｂに開口した角穴から摘み（knob）が外方に突き出したＯＮ／ＯＦＦ操作用のロッカー式ハンドル、４はケースカバー２ｂに取付けたハンドルロック装置のロックプレート、５はロックプレート４に掛けた南京錠である。
【０００５】
ここで、前記ロックプレート４は、図６（ｃ）で表すように固定プレート４ａと、固定プレート４ａの内側に添わせた可動プレート４ｂと、可動プレート４ｂの一端を固定プレート４ａに枢支する支軸４ｃとの組立体からなり、前記ハンドル３の側方に沿って起立延在するようにケースカバー２ｂの上に取付け、この位置で固定プレート４ａの両端に形成したＬ形のネジ座４ａ−２に締結ネジ６を通してケースカバー２ｂにネジ止めしている。また、固定プレート４ａの端部には南京錠５を掛ける施錠穴４ａ−１が開口している。一方、可動プレート４ｂは断面Ｌ形の板であり、前記固定プレート４ａとの重なり面には前記施錠穴４ａ−１と重なり合う位置に施錠穴４ｂ−１が開口し、またハンドル３に向けて側方に張り出した板面にはハンドル３のＯＮ，ＯＦＦ操作位置に合わせてハンドル３と嵌合し合う角穴４ｂ−２，４ｂ−３が開口している。
【０００６】
上記の構成で回路遮断器１のハンドル３をＯＦＦ操作位置で鎖錠する場合には、図６（ａ），（ｂ）で示すように、ハンドル３をＯＦＦ位置に移動した状態で可動プレート４ｂの角穴４ｂ−２にハンドル３を嵌め合わせ、この状態で固定プレート４ａの施錠穴４ａ−１と可動プレート４ｂの施錠穴４ｂ−１に跨がって南京錠５を掛ける。これにより、ハンドル３はＯＦＦ位置に鎖錠され、南京錠５を解錠した上で可動プレート４ｂを開放しない限りはハンドル３をＯＮ位置に切換え操作することができなくなる。
【０００７】
また、ハンドル３をＯＮ操作位置で鎖錠するには、前記とは逆にＯＮ位置に移動したハンドル３に可動プレート４ａの角穴４ｂ−３を嵌め合わせた上で、施錠穴４ａ−１と４ｂ−１に跨がり南京錠５を掛けて施錠する。なお、回路遮断器を装備した配電盤，操作盤などで盤内の配電系統を点検する場合の感電事故を防ぐために、昨今では回路遮断器のハンドルをＯＦＦ操作位置でのみ鎖錠し、逆にＯＮ操作位置では誤って南京錠が掛けられないようにインターロックしたハンドルロック装置の需要が多くなっている。
【特許文献１】特開昭６１−２６９８１４号公報（図１〜図４）
【発明の開示】
【発明が解決しようとする課題】
【０００８】
上記したハンドルロック装置はユーザーからの注文に応じて特注追加するオプションであり、標準品の回路遮断器には当初からハンドルロック装置が備えられていない。このために、メーカーはユーザーからの注文を受けた後、その要請に応じて回路遮断器にハンドルロック装置を追加装備した上で出荷するようにしている。
この場合に、図６に示した従来構造では、ハンドルロック装置のロックプレート４は回路遮断器１のケースカバー２ｂにネジ止めして取付けるようにしている。このために、標準品の回路遮断器にロックプレート４を追加装備するには、工場で回路遮断器のケースカバー２ｂに固定ネジ６を螺合するネジ穴を追加加工する必要があり、そのネジ穴加工に伴う経費と期間が発生する問題がある。
【０００９】
この発明は上記の点に鑑みなされたものであり、ユーザーからの注文，要請でハンドルロック装置（オプション）を追加装備する際に、回路遮断器のケースカバーにネジ穴を追加加工することなく、そのまま標準品の回路遮断器に組み付けて使用することができるように取付構造を改良したハンドルロック装置を提供することを目的とする。
【課題を解決するための手段】
【００１０】
上記目的を達成するために、本発明によれば、回路遮断器のケースカバーに開口した穴を通して摘み部が外方に突き出たロッカー式の開閉操作用ハンドルをＯＦＦ位置に鎖錠するハンドルロック装置であり、前記ケースカバーには前記ハンドルの側方に沿って起立延在するロックプレートを敷設し、該ロックプレートに南京錠を掛けてハンドルをＯＦＦ位置に鎖錠するようにしたものにおいて、
前記ロックプレートの両端に一対の取付台座を連結した上で、該取付台座を前記ケースカバーに回路遮断器の取付ネジで共締めして固定するようにし（請求項１）、具体的にはロックプレート，および取付台座を次記のような態様で構成するものとする。
（１）前記のロックプレートは、断面Ｌ形の固定プレートと、該固定プレートの板面に添わせて長手方向に案内支持したスライド式の可動プレートとの組立体になり、かつ前記固定プレートにはその底板部の中央に開口して回路遮断器のハンドルの摘み部周域を包囲する穴、および両端部に穿孔したネジ穴を設けるとともに、起立板部には長手方向の中央に南京錠を掛ける施錠穴を開口し、また前記可動プレートには前記ハンドルの摘み部に掛止連繋する係合突起を設け、ハンドルのＯＮ位置では前記固定プレートに開口した施錠穴を可動プレートで塞ぐように構成する（請求項２）。
（２）前記の取付台座は、ロックプレートの両端部に重ね合わせてネジ締結する第１のネジ座部と、回路遮断器の取付ネジを通す第２のネジ座部を有する樹脂成形品になり、第１のネジ座部にはその裏面側から締結ネジを通してロックプレートの固定プレートをネジ止めするようにする（請求項３）。
（３）さらに、前項（２）において、取付台座の第１のネジ座部には、回路遮断器のフレームサイズに合わせて選択する複数の締結ネジ通し穴を設ける（請求項４）。
【発明の効果】
【００１１】
上記構成のプレート式ハンドルロック装置により、次記の効果を奏することができる。
まず、標準品の配線用回路遮断器，漏電遮断器には、当該回路遮断器を配電盤，制御盤などの盤内の取付板にネジ止めできるようにするために、回路遮断器のモールドケースにはケースおよびケースカバーの双方を貫通してケースカバー側から取付ネジを嵌挿するネジ通し穴を備えており、ここでその構造を図１を援用して説明する。図１において、回路遮断器１（図示例は４極構造）のモールドケース２には、電源側，および負荷側端子が並ぶケース２の両端側でケース２ａおよびケースカバー２ｂに跨がって上下方向に貫通する取付ネジ通し穴２ｃが左右に分散して３箇所に開口している。そして、回路遮断器１を盤内の取付板（不図示）にネジ止めするには、ケースカバー側から前記ネジ通し穴２ｃに符号７で示す取付ネジを挿入し、この取付ネジ７を介して回路遮断器１を盤内の取付板に締結固定するようにする。
【００１２】
そこで、この発明では回路遮断器にプレート式のハンドルロック装置（オプション）を追加装備する際に、そのロックプレートの両端にモールド樹脂製の取付台座を組み付けた上で、前記した回路遮断器の取付ネジ７（図２参照）を利用して取付台座を共締めする。これにより、従来構造のように回路遮断器のケースカバーにはロックプレートを固定するためのネジ穴の追加加工を施す必要がなく、標準品の回路遮断器にそのままハンドルロック装置を追加装備して使用することができる。
【００１３】
また、ロックプレートを請求項２のように構成したことにより、不用意なハンドルの鎖錠ミスを防止し、回路遮断器のＯＦＦ状態でのみ南京錠を掛けてハンドルをＯＦＦ操作位置に鎖錠することが可能となって、安全，取扱い面での信頼性が向上する。すなわち、回路遮断器にロックプレートを装着した状態でハンドルをＯＮ位置に移動操作すると、ハンドルの動きに従動して可動プレートが固定プレートの施錠穴を塞ぐ。一方、ハンドルをＯＦＦ位置に移動するとハンドルの動きに従動して可動プレートが固定プレートの施錠穴位置から後退して施錠穴を開放する。したがって、回路遮断器のＯＮ状態ではハンドルロック装置に南京錠を掛けることができないのでハンドルの不用意な鎖錠ミスを防止できる。
【００１４】
さらに、前記の取付台座を請求項３のように構成したことにより、ロックプレートを回路遮断器に装着した組立状態では、固定プレートを固定した締結ネジのネジ頭が取付台座の裏面側に隠れてネジを緩めることができない。したがって、ロックプレートを不用意に取り外してハンドルをＯＮ位置に切り換える誤操作を防止して高い安全性を確保できる。
さらに加えて、請求項４のように、取付台座の第１のネジ座部には回路遮断器のフレームサイズに合わせて選択する複数の締結ネジ通し穴を設けたことにより、同じサイズのロックプレートをフレームサイズの異なる他の回路遮断器にも適用することができて部品の共用化が図れる。
【発明を実施するための最良の形態】
【００１５】
以下、本発明の実施の形態を図１〜図５に示す実施例に基づいて説明する。なお、図１はハンドルロック装置を回路遮断器に装着する前の状態を表す俯瞰図、図２は図１におけるハンドルロック装置の詳細構造を表す分解斜視図、図３は回路遮断器に装着したハンドルロック装置に南京錠を掛けてハンドルをＯＦＦ位置に鎖錠した状態を表す俯瞰図、図４は図３の側面図、図５はハンドルをＯＮ位置に移動した状態を表す側面図であり、実施例の図中で図６に対応する部材には同じ符号を付している。
【００１６】
まず、図１において、実施例のプレート式ハンドルロック装置は、詳細構造を後述する固定プレート８に可動プレート９を組み合わせたロックプレート１０と、前記固定プレート８の両端に連結した一対の取付台座１１との組立体で構成されている。一方、回路遮断器（４極形）１にはモールドケース２のケース２ａ，ケースカバー２ｂを上下に貫通して電源側および負荷側端子部の隔壁基部には取付ネジ通し穴２ｃが左右に分散して開口しており、この取付ネジ通し穴２ｃに取付ネジ７を通して制御盤などの盤内に敷設した取付板（不図示）にネジ締結するようにしている。
【００１７】
そして、この発明では前記構成のハンドルロック装置を回路遮断器１の開閉操作用ハンドル３に並置してケースカバー２ｂの上に装着する際に、前記ロックプレート１０の両端部に連結した取付台座１１に取付ネジ７を通し、この取付ネジ７で回路遮断器１と共締めするようにしている。
次に、前記ハンドルロック装置の詳細構造を図２に示す。このハンドルロック装置は、固定プレート８に可動プレート９を組み合わせたロックプレート１０と、前記固定プレート８の両端部に連結した一対の取付座１１との組立体になる。
【００１８】
ここで、固定プレート８は断面Ｌ形の板金品で、その底板部の中央には回路遮断器１に備えた開閉操作用ハンドル３（図１参照）の摘み部周域を包囲する角穴８ａ、および両端部に穿孔したネジ穴８ｂを設けるとともに、前記底板部の側縁から立ち上がる起立板部には長手方向の中央に南京錠を掛ける施錠穴８ｃが開口している。さらに、底板部と起立板部との境には長手方向に沿って固定プレート９を案内支持するスリット状のレール溝８ｄが形成されている。
【００１９】
また、可動プレート９は、固定プレート８の長さの半分以下に設定されており、その下縁には前記固定プレート８のレール溝８ｄに嵌入するＬ形のガイド９ａが形成され、さらにプレートの板面には回路遮断器の開閉操作用ハンドル３の摘み部（該摘み部の側面は凹状に窪んでいる）に向けて突き出すように係合突起９ｂが形成されている。
一方、取付台座１１は樹脂成形品で作られたもので、前記ロックプレート１０の固定プレート８の端部に重ね合わせてネジ締結する第１のネジ座部１１ａと、該第１のネジ座部１１ａから側方に突き出した第２のネジ座部１１ｂを有し、第１のネジ座部１１ａにはその裏面側から締結ネジ１２を通してロックプレート１０の固定プレート８をネジ止めするとともに、回路遮断器のフレームサイズに合わせて選択することのできる複数のネジ通し穴１１ａ−１が相対位置をずらして開口している。また、第２のネジ座部１１ｂには、回路遮断器の取付ネジ７を通すネジ通し穴１１ｂ−１が開口している。
【００２０】
次に、前記構成になるハンドルロック装置の組立，および回路遮断器１への組み付け作業の手順を説明する。まず、固定プレート８の両端に裏面側から取付台座１１の第１のネジ座部１１ａを重ね合わせ、取付台座１１の裏面側から通した締結ネジ１２を固定プレート８のネジ穴８ｂに螺合する。なお、この場合に第１のネジ座部１１ａに穿孔したネジ通し穴１１ａ−１を選択することで、固定プレート８に対する取付台座１１の結合位置を長手方向で調整することが可能である。続いて、可動プレート９のガイド９ａを固定プレート８のレール溝８ｄに嵌入し、可動プレート９が固定プレート８の板面に沿ってスライド可能に保持する。
【００２１】
そして、前記組立体を回路遮断器に装着するには、回路遮断器１の上方からケースカバー２ａの上にロックプレート１０を重ね合わせ、ハンドル３の摘み部が固定プレート８の底板部に開口した角穴８ａから突き出すように位置合わせするとともに、同時に可動プレート９の係合突起９ｂをハンドル３の摘み部側面の凹部に掛止してハンドル３に可動プレート９を連繋させる。最後に取付台座１１の第２のネジ座部１１ｂと回路遮断器１のモールドケース２に設けたネジ通し穴２ｃに跨がってケースカバー側から取付ネジ７を挿入し、取付台座１１を回路遮断器１と共締めして装着位置に固定する。この取付構造によれば、回路遮断器１にハンドルロック装置を装着する際に、図６の従来構造で述べたようにモールドケース２のケースカバー２ｂにネジ穴を追加加工することなしに、標準品の回路遮断器１に備えた取付ネジ７を利用してロックプレート１０を簡単に装着できる。
【００２２】
図３，図４は、前記の取付台座１１を介してロックプレート１０を回路遮断器１に装着した状態でハンドル３をＯＦＦ操作位置に移動し、ロックプレート１０の固定プレート８に開口した施錠穴８ｃに南京錠５を掛けてハンドル３をＯＦＦ操作位置に鎖錠した状態を表している。すなわち、ハンドル３をＯＦＦ位置に移動して回路遮断器の主回路接点を開極すると、ハンドル３の動きにロックプレート１０の可動プレート９が従動して前記施錠穴８ｃが開放となる。したがって、この状態で施錠穴８ｃに南京錠５を掛けると、可動プレート９と掛止連繋しているハンドル３はこのＯＦＦ位置に拘束保持され、ＯＮ位置に移動操作することができなくなる。
【００２３】
一方、図４に示すＯＦＦ位置での鎖錠状態から南京錠５を解錠してロックプレート１０から取り外すと、ハンドル３の鎖錠が解除されてＯＮ位置への切換え操作が可能となる。そして、ハンドル３を図５に示すＯＮ位置に移動すると、ハンドル３の動きに従動して可動プレート９が右側に移動して固定プレート８の施錠穴８ｃを塞ぐようになる。したがってこの状態では南京錠５を掛けることができず、これにより盤内の保守点検時に誤ってハンドル３のＯＮ位置で南京錠５を掛ける操作ミスを確実に防ぎ、不測な感電事故発生を未然に防ぐことができる。
【図面の簡単な説明】
【００２４】
【図１】この発明の実施例によるハンドルロック装置を回路遮断器に装着する前段階の俯瞰図
【図２】図１におけるハンドルロック装置の詳細構造を表す部品の分解斜視図
【図３】回路遮断器に装着したハンドルロック装置に南京錠を掛けてハンドルをＯＦＦ位置に鎖錠した状態を表す俯瞰図
【図４】図３の側面図
【図５】図４に対比してハンドルをＯＮ位置に切換えた状態を表す側面図
【図６】特許文献１に開示されているハンドルロック装置の構成図で、（ａ），（ｂ）はそれぞれハンドルロック装置を回路遮断器に装着してハンドルをＯＦＦ位置にロックした状態を表す一部断面側視図，および俯瞰図、（ｃ）はハンドルロック装置の分解斜視図
【符号の説明】
【００２５】
１    回路遮断器
２  回路遮断器のモールドケース
２ｂ  ケースカバー
３    ハンドル
５    南京錠
７    回路遮断器の取付ネジ
８  固定プレート
８ａ  角穴
８ｂ  ネジ穴
８ｃ  施錠穴
９    可動プレート
９ｂ  係合突起
１０    ロックプレート
１１    取付台座
１１ａ  第１のネジ座部
１１ａ−１  締結ネジ通し穴
１１ｂ  第２のネジ座部
１１ｂ−１  取付ネジ通し穴
１２    締結ネジ
【図１】
2010040325.tif 000003
【図２】
2010040325.tif 000004
【図３】
2010040325.tif 000005
【図４】
2010040325.tif 000006
【図５】
2010040325.tif 000007
【図６】
2010040325.tif 000008